(57)【要約】【課題】水糸を張らずに丁張り間の高さを正確且つ簡単に設定することのできるクランプ式レーザーレベル機を提供する。【解決手段】長寸方向における第一の端部にレーザービーム発光部を有する本体２と、前記第一の端部から長寸方向に離れた位置を支点として本体２を揺動可能に支持するブラケット３と、先端が本体２の第一の端部付近に当接するようにブラケット３にねじ嵌合されて、ねじ運動に伴ってブラケット３に対する本体２の角度を調節する調節ねじ４と、ブラケット３に固定されたコの字形の固定口金５ｂ、及び固定口金５ｂにねじ嵌合されてねじ運動に伴って固定口金５ｂとともに構造物を挟みうる可動口金５ｃからなるクランプ５とを備えることを特徴とする。【選択図】図１
0003116105.tif 000002
【実用新案登録請求の範囲】
【請求項１】
長寸方向における第一の端部にレーザービーム発光部を有する本体と、
前記第一の端部から長寸方向に離れた位置を支点として本体を揺動可能に支持するブラケットと、
先端が本体の第一の端部付近に当接するようにブラケットにねじ嵌合されて、ねじ運動に伴ってブラケットに対する本体の角度を調節する調節ねじと、
ブラケットに固定されたコの字形の固定口金、及び固定口金にねじ嵌合されてねじ運動に伴って固定口金とともに構造物を挟みうる可動口金からなるクランプとを備えることを特徴とするクランプ式レーザーレベル機。
【請求項２】
前記固定口金が、ブラケットに対して二方向に回転可能であり、任意の回転角で固定されうる請求項１に記載のクランプ式レーザーレベル機。
【考案の詳細な説明】
【技術分野】
【０００１】
この考案は、土木工事現場における丁張り用の杭もしくは枠材などの構造物に取り付けられて、基準となる高さを設定するために好適に用いられるクランプ式レーザーレベル機に関する。
【背景技術】
【０００２】
道路工事などの土木工事や建築工事において、従来より基準となる丁張りを設定し、丁張り間の水糸に沿って掘削等の施工を行っていた。また、近年では丁張り用の杭にレーザービーム付き水平器を取り付け、水糸に代えてレーザービームを基準とすることも提案されている（特許文献１）。
【特許文献１】登録実用新案第３０３０９１０号
【考案の開示】
【考案が解決しようとする課題】
【０００３】
しかし、水糸は、掘削機などの大型の機械を動かすのに邪魔となるし、機械や人との接触又は水糸を縛り付けている杭の揺れなどにより垂れたり切れたりすることもある。従って、工事を速やかに進めることができない。また、特許文献１に記載の水平器は、角度を簡単に調整することができないので、枠材への取り付けの段階でかなり正確に角度を決めなければならず、面倒である。
それ故、この考案の課題は、水糸を張らずに丁張り間の高さを正確且つ簡単に設定することのできるクランプ式レーザーレベル機を提供することにある。
【課題を解決するための手段】
【０００４】
その課題を解決するために、この考案のクランプ式レーザーレベル機は、
長寸方向における第一の端部にレーザービーム発光部を有する本体と、
前記第一の端部から長寸方向に離れた位置を支点として本体を揺動可能に支持するブラケットと、
先端が本体の第一の端部付近に当接するようにブラケットにねじ嵌合されて、ねじ運動に伴ってブラケットに対する本体の角度を調節する調節ねじと、
ブラケットに固定されたコの字形の固定口金、及び固定口金にねじ嵌合されてねじ運動に伴って固定口金とともに構造物を挟みうる可動口金からなるクランプとを備えることを特徴とする。
【０００５】
この考案のレーザーレベル機は、クランプを備えるので、枠材などの適宜の幅を有する構造物に着脱自在に取り付けることができる。そして、取り付けた状態で調節ねじを回転させることにより本体の角度を自由に変えることができる。通常は、丁張り用の一方の杭の所定の高さ位置に取り付け、他方の杭に向かってレーザービームを発する。そして、他方の杭に到達した光点が所定の高さとなるように調節ねじで本体の角度を調節する。施工中、丁張り間の高さ基準を知りたいときは、丁張り間の所望の位置でレーザービーム上に目盛板（棒）などの適当な物体を介在させて、物体表面に光点を表示させればよい。水糸と異なり、切れることも垂れることも無い。
【０００６】
前記固定口金が、ブラケットに対して二方向に回転可能であり、任意の回転角で固定されうるような構成であると好ましい。取り付ける杭自体が傾いている場合でも水平方向に回転させることにより、また大きな勾配を有する斜面上でも鉛直方向に回転させることにより、他方の杭に向かって照射できるからである。
【考案の効果】
【０００７】
水糸を張らずに丁張り間の高さを正確且つ簡単に設定することのできるので、工事を順調に進めることができる。
【考案を実施するための最良の形態】
【０００８】
この考案の実施形態を図面と共に説明する。図１は実施形態に係るクランプ付きレーザーレベル機を示し、（ａ）はその正面図、（ｂ）は同じく左側面図、（ｃ）は同じく底面図である。クランプ付きレーザーレベル機１（以下、「レベル機１」と言う。）は、正面視で左右方向に長く前後方向及び上下方向に短い直方体形状の本体２と、ブラケット３と、調節ねじ４と、クランプ５とを備える。
本体２は、長寸方向における第一の端部２ａにレーザービーム発光部２ｂ（以下、「発光部２ｂ」という。）を有し、図略のスイッチをオンにすることにより同方向にレーザービームを発することができる。
【０００９】
ブラケット３は、全体が一枚の板材からなり、本体２の底面と対向して左右方向に長い支持部３ａとそれに直交して連なり本体２を間に置いて互いに対向する軸受け部３ｂ、３ｃとを有する。支持部３ａには発光部２ｂに近い端部にねじ孔が形成されている。軸受け部３ｂ、３ｃには本体２を貫通する回転軸が回転可能に通されている。軸受け部３ｂ、３ｃの軸孔は、本体２の重心よりもやや第二の端部２ｃ（発光部２ｂと反対側）寄りに形成されている。従って、本体２は、ブラケット３に対して揺動可能に支持されているとともに、図示の姿勢においては自重によって第一の端部２ａが下がる方向に回転しようとする。また、軸受け部３ｂは、本体２の長寸方向における一端から他端に対応する位置まで延びており、本体２の背面を裏当てしている。従って、ブラケット３は、支持部３ａ及び軸受け部３ｂに直交する平面に沿って切断すると断面Ｌ字形をなす。
【００１０】
調節ねじ４は、支持部３ａのねじ孔に嵌合されており、その先端が本体２の第一の端部２ａ付近の底面に当接している。従って、調節ねじ４は本体の自重による回転力に抗しており、そのねじ運動に伴って図１（ａ）の仮想線で示すようにブラケット３に対する本体２の角度を変える。
クランプ５は、一面が支持部３ａに回転可能にねじで固定されたＬ字形のジョイント５ａ、第一面がジョイント５ａの他面に回転可能にねじで固定されたコの字形の固定口金５ｂ、及び可動口金５ｃからなる。固定口金５ｂの第一面と対向する第三面にはねじ孔が形成されており、これに可動口金５ｃの雄ねじが嵌合されている。この雄ねじの先端には固定口金５ｂの第一面と対向する当て板が固着されている。従って、可動口金５ｃのねじ運動に伴って固定口金５ｂの第一面と当て板とで丁張り用の杭などの構造物を挟みうる。
【００１１】
レベル機１を用いて丁張り間の高さを設定するときは、先ず基準となる高さを測量し、丁張り用の一方の杭Ａに印を付ける。同様に他方の杭Ｂにも印を付ける。そして、その高さで図２に示すように杭Ａをクランプ５で挟むことにより、レベル機１を固定する。発光部２ｂよりレーザービームを発し、光点が他方の杭Ｂの印付近に当たるように固定口金５ｂに対するジョイント５ａ、ジョイント５ａに対するブラケット３の角度を決めて各々ねじ止めする。その後、調節ねじ４を回転させて本体２の角度を変え、光点を杭Ｂの印に合わせる。
【００１２】
これにより土木作業中、いつでも適宜の物体を杭Ａ−Ｂ間のレーザービームに当てることで、物体上に光点が現れて基準高さを知ることができる。レーザービームが土木機械や作業者と干渉してもレーザービームであるから切断されることはないし、垂れることもない。従って、常に正確な高さを知ることができる。
【図面の簡単な説明】
【００１３】
【図１】実施形態に係るクランプ付きレーザーレベル機を示し、（ａ）はその正面図、（ｂ）は同じく左側面図、（ｃ）は同じく底面図である。
【図２】上記のクランプ付きレーザーレベル機の使用方法を示す図である。
【符号の説明】
【００１４】
１  クランプ付きレーザーレベル機
２  本体
３  ブラケット
４  調節ねじ
５  クランプ
【図１】
0003116105.tif 000003
【図２】
0003116105.tif 000004